(57)【要約】【課題】従来のデジタル放送受信機は、複数の録画装置に同時に異なる番組を記録することはできなかった。【解決手段】デジタル放送受信機１００は、第１の受信部１及び第２の受信部２と、第１の選択器３及び第２の選択器４と、第１の復号部５及び第２の復号部６と、表示部７と、記録信号切換器９と記録制御信号出力部１０とデジタル・インターフェース部１１とを含む出力部１２と、記録再生指示部８を備え、記録指示部８により第１の受信部１及び第２の受信部２と、第１の選択器３及び第２の選択器４と、表示部７と、記録信号切換器９と、記録制御信号出力部１０と、デジタル・インターフェース部１１とを制御するようにした。【選択図】        図１
2004214894.tif 000002
【特許請求の範囲】
【請求項１】
ユーザによって記録の予約がなされた番組と番組を識別する番組識別情報と番組を記録する記録機器の記録機器識別情報とを複数記憶する記録予約テーブルと、
上記記録予約テーブルに記憶された複数の番組の番組識別情報に基づいて複数の番組のデータの受信を指示する記録指示部と、
上記記録指示部の指示にしたがって複数の番組のデータを並行して各々受信する複数の受信部と、
上記複数の受信部が各々並行して受信した複数の番組のデータを各々復号する複数の復号部と、
上記複数の復号部が各々復号した複数の番組のデータを、上記記録予約テーブルに記憶された番組に対応する複数の記録機器識別情報から識別される複数の記録機器に並行して出力する出力部とを備える受信機。
【請求項２】
上記受信機は、さらに、
上記複数の復号部が復号した複数の番組のデータから１のデータを選択するかまたは複数の番組のデータを合成するかのいずれかを行うことによってデータを表示する表示部を備える請求項１に記載された受信機。
【請求項３】
上記受信機は、さらに、
上記記録機器識別情報と記録機器識別情報によって識別される記録機器を制御する制御情報とを複数記憶した記録機器制御情報テーブルを備え、
上記記録指示部は、上記番組のデータを出力する記録機器の記録機器識別情報に対応する制御情報を上記記録機器制御情報テーブルから選択し、
上記出力部は、上記記録指示部によって選択された制御情報に基づいて上記複数の記録機器に複数の番組のデータを並行して出力する請求項１に記載された受信機。
【請求項４】
上記記録機器制御情報テーブルは、デジタル信号のインタフェースを有する記録機器の制御情報とデジタル信号のインタフェースを有さない記録機器の制御情報とを制御情報として記憶し、
上記出力部は、上記記録機器制御情報テーブルに記憶された制御情報に基づいてデジタル信号のインタフェースを有する記録機器とデジタル信号のインタフェースを有さない記録機器とに複数の番組のデータを並行して出力する請求項３に記載された受信機。
【請求項５】
ユーザによって記録の予約がなされた複数の番組と複数の番組を識別する番組識別情報と複数の番組を記録する記録機器の記録機器識別情報とを記録予約テーブルに記憶し、
上記記録予約テーブルに記憶された複数の番組の番組識別情報に基づいて複数の番組のデータの受信を指示し、
上記指示にしたがって複数の番組のデータを並行して各々受信し、
上記並行して受信した複数の番組のデータを各々復号し、
上記復号した複数の番組のデータを、上記記録予約テーブルに記憶された番組に対応する複数の記録機器識別情報から識別される複数の記録機器に並行して出力する受信方法。
【請求項６】
ユーザによって記録の予約がなされた複数の番組と複数の番組を識別する番組識別情報と複数の番組を記録する記録機器の記録機器識別情報とを記録予約テーブルに記憶する処理と、
上記記録予約テーブルに記憶された複数の番組の番組識別情報に基づいて複数の番組のデータの受信を指示する処理と、
上記指示にしたがって複数の番組のデータを並行して各々受信する処理と、
上記並行して受信した複数の番組のデータを各々復号する処理と、
上記復号した複数の番組のデータを、上記記録予約テーブルに記憶された番組に対応する複数の記録機器識別情報から識別される複数の記録機器に並行して出力する処理とをコンピュータに実行させる受信プログラム。
【請求項７】
ユーザによって記録の予約がなされた複数の番組と複数の番組を識別する番組識別情報と複数の番組を記録する記録機器の記録機器識別情報とを記録予約テーブルに記憶する処理と、
上記記録予約テーブルに記憶された複数の番組の番組識別情報に基づいて複数の番組のデータの受信を指示する処理と、
上記指示にしたがって複数の番組のデータを並行して各々受信する処理と、
上記並行して受信した複数の番組のデータを各々復号する処理と、
上記復号した複数の番組のデータを、上記記録予約テーブルに記憶された番組に対応する複数の記録機器識別情報から識別される複数の記録機器に並行して出力する処理とをコンピュータに実行させるための受信プログラムを記録したコンピュータ読み取り可能な記録媒体。
【発明の詳細な説明】
【０００１】
【発明の属する技術分野】
この発明は、デジタル放送受信機の録画制御等に関するものである。
【０００２】
【従来の技術】
従来のデジタル放送受信機におけるＶＴＲ（ＶＩＤＥＯ  ＴＡＰＥ  ＲＥＣＯＲＤＥＲ）等の録画制御は、単一の出力を記録することを想定していた。複数の録画装置を接続する場合は、単純に復号部の出力を各録画装置へ分配し、録画制御信号を各録画動作に対応して出力させていた（例えば、特許文献１参照）。
【０００３】
【特許文献１】
特開２０００−２０９５１３号公報
【０００４】
【発明が解決しようとする課題】
従来のデジタル放送受信機は以上のように構成されているので、複数の録画装置に同時に異なる番組を記録することはできなかった。
【０００５】
また、デジタル・インタフェースを備える録画装置とデジタル・インタフェースを備えない録画装置の両方をデジタル放送受信機に接続して使用することは想定されていなかったため、両者の録画装置を併用して番組により使い分けることができなかった。
【０００６】
この発明は、複数の録画装置に同時に異なる番組を記録することが可能なデジタル放送受信機を得ることを目的とする。
【０００７】
また、デジタル・インタフェースを備える録画装置とデジタル・インタフェースを備えない録画装置の両方をデジタル放送受信機に接続して両者の録画装置を併用して番組により使い分けることが可能なデジタル放送受信機を得ることを目的とする。
【０００８】
【課題を解決するための手段】
本発明は、ユーザによって記録の予約がなされた番組と番組を識別する番組識別情報と番組を記録する記録機器の記録機器識別情報とを複数記憶する記録予約テーブルと、
上記記録予約テーブルに記憶された複数の番組の番組識別情報に基づいて複数の番組のデータの受信を指示する記録指示部と、
上記記録指示部の指示にしたがって複数の番組のデータを並行して各々受信する複数の受信部と、
上記複数の受信部が各々並行して受信した複数の番組のデータを各々復号する複数の復号部と、
上記複数の復号部が各々復号した複数の番組のデータを、上記記録予約テーブルに記憶された番組に対応する複数の記録機器識別情報から識別される複数の記録機器に並行して出力する出力部とを備える。
【０００９】
【発明の実施の形態】
実施の形態１．
以下、この発明の実施の形態１を図に基づいて説明する。
図１は本発明によるデジタル放送受信機１００の構成を説明する図である。
図１においてデジタル放送受信機１００は、第１の受信部１、第２の受信部２、第１の選択器３、第２の選択器４、第１の復号部５、第２の復号部６、表示部７、記録指示部８、出力部１２、記録予約テーブル３００、記録機器制御情報テーブル４００から構成される。
出力部１２には、記録信号切換器９と記録制御信号出力部１０とデジタル・インタフェース部１１とが含まれる。
以上の構成を持つデジタル放送受信機１００は受信機の一例である。また、第１の受信部１及び第２の受信部２は、受信部の一例である。また、第１の復号部５及び第２の復号部６は、復号部の一例である。
【００１０】
図２は番組録画予約時の番組決定後における録画予約画面の例である。
画面上部には番組の情報が表示されており、中程には記録機器選択の選択枝が表示される。ここでは、あらかじめ登録してある記録機器が自動的にリスト表示される。リストではデジタル・インタフェース接続の機器とそうでない機器の区別は意識せず選択できる。
【００１１】
図３は記録予約テーブル３００である。
記録予約テーブル３００は、ユーザによって記録の予約がなされた番組３１０と番組を識別する番組識別情報と番組を記録する記録機器の記録機器識別情報３３０とを複数記憶する。ここで、番組の開始日時３２０は、番組を識別する番組識別情報の一例である。
ここでも記録機器がデジタル・インタフェース接続かどうかは意識せず、単に▲１▼〜▲４▼の記録機器が割当てられている。すなわち記録予約テーブル３００は、ユーザが予約した番組３１０と番組が行われるチャネル（ＣＨ）と開始日時３２０と番組３１０を記録する記録機器の記録機器識別情報３３０を記録する。
番組を識別する番組識別情報は、記録指示部８が複数の番組のデータと複数のデータを記録する複数の記録機器の記録機器識別情報との受信を各々の受信部に指示するインセンティブとなる情報であればよい。
【００１２】
図４は記録機器制御情報テーブル４００である。
記録機器制御情報テーブル４００は、記録機器識別情報３３０と記録機器識別情報によって識別される記録機器を制御する制御情報３４０とを複数記憶する。ここでは登録された記録機器▲１▼〜▲４▼がデジタル・インタフェース接続か、アナログ出力の場合はどの端子に接続しているか等の規定がされている。すなわち、記録機器制御情報テーブル４００は、記録機器識別情報３３０と、記録機器識別情報３３０によって識別される記録機器の制御情報３４０としてＡＶ出力端子と制御信号と機種を記録する。
【００１３】
図１において、記録指示部８は、記録予約テーブル３００に記憶された複数の番組の番組識別情報に基づいて複数の番組のデータの受信を指示する。
第１の受信部１および第２の受信部２はそれぞれ独立して放送を選局することができ、記録指示部８の指示にしたがって複数の番組のデータを並行して各々受信する。
第１の受信部１および第２の受信部２の一例としては一方が衛星（ＢＳ／ＣＳ）放送受信部、他方が地上デジタル放送受信部で構成されることなどが考えられる。
それぞれの受信部では記録指示部８からの指示に従って選局が行われ受信したデジタル・ストリームデータ（番組のデータ）が出力される。
第１の復号部５の前に設けられた第１の選択器３は第１の復号部５で復号すべきストリームデータを記録指示部８からの指示に従って選択し、第１の復号部５で復号が行われる。復号対象放送が映像・音声の番組であれば、復号された映像・音声信号が得られる。
同様に第２の選択器４は第２の復号部６で復号すべきストリームデータを記録指示部８からの指示に従って選択し、第２の復号部６で復号が行われる。
【００１４】
第１および第２の復号部で復号された復号信号は、記録指示部８からの指示に従って表示部７にて選択あるいは合成されるなどして出力（表示）される。具体的にはいずれかの復号映像を切り換えてテレビモニタへ表示したり、複数の映像を合成（一方を小画面表示など）したりすることが考えられる。
また、出力部１２は、複数の復号部が各々復号した複数の番組のデータを、記録予約テーブルに記憶された番組に対応する複数の記録機器識別情報から識別される複数の記録機器に並行して出力する。
【００１５】
アナログＶＣＲ（ＶＩＤＥＯ  ＣＡＳＳＥＴＴＥ  ＲＥＣＯＲＤＥＲ）など、デジタル・インタフェースを持たない記録装置を用いて録画を行う場合は、出力部１２が有する記録信号切換器９にて第１および第２の復号部からの復号信号を選択して、対応する記録装置が接続された信号出力端子に出力を行う。
【００１６】
また、当該記録装置をデジタル放送受信機１００から制御する場合は記録装置の赤外線（ＩＲ）リモコン信号を用いるのが有効である。具体的には、記録指示部８の指示に従い出力部１２が有する記録制御信号出力部１０によって、接続された記録装置の制御（電源ＯＮ、録画開始、録画停止、電源ＯＦＦ）に対応した制御信号を出力する。記録制御信号出力部１０の出力は接続された電気赤外線（ＩＲ）変換のデバイスを経て、記録装置の赤外線（ＩＲ）受光部に入り、対応する記録装置の制御が行われる。
【００１７】
一方、デジタル・インタフェース（ｉ−ｌｉｎｋあるいはＩＥＥＥ１３９４規格などと呼ばれる）を備える記録装置は、デジタル放送受信機１００の出力部１２が有するデジタル・インタフェース部１１に接続される。このインタフェースには当該規格に対応する記録装置を複数接続することができ、制御信号も同インタフェース内で相互通信される。
【００１８】
このようにして、上記デジタル・インタフェース部１１を備え、デジタル・インタフェース部１１に接続された記録装置と、デジタル・インタフェースを備えない記録装置とは、信号の経路も動作制御方法も上記のように異なるが、本実施の形態における発明のユーザ操作画面では統一的に録画機器として扱うことでユーザの録画操作が煩雑になることを防ぐことが可能である。
【００１９】
図１の記録指示部８は、図３に示す記録予約テーブル３００を予約時刻（開始日時３２０）の順に参照し、各番組の開始日時３２０に基づいて、たとえば実行時刻になった場合等に記録機器制御情報テーブル４００の記録機器を識別する記録機器識別情報３３０と制御情報３４０とを参照し、ストリームデータを記録する記録機器識別情報３３０と制御情報３４０を選択する。
ここで、記録指示部８が制御情報３４０の機種からデジタル・インタフェース機器が記録機器として指定されていると判断した場合には、記録指示部８は出力部１２のデジタル・インタフェース部１１に対し、記録機器のＩＤ番号（記録機器識別情報３３０）や出力すべきストリームデータの選択情報、録画機器の起動コマンドなどの制御情報３４０を指示する。
一方、記録指示部８がデジタル・インタフェースを備えないアナログＶＣＲ等の記録機器が指定されていると判断した場合は、記録指示部８は、当該記録機器が接続された録画信号の出力端子と復号信号の対応付けを出力部１２の記録信号切換器９に指示すると共に、当該記録機器の赤外線（ＩＲ）リモコンコードに対応する制御信号が記録制御信号出力部１０から出るように指示する。
指示にしたがって出力部１２の各部は、記録指示部８によって選択された制御情報に基づいて複数の記録機器に複数の番組のデータを並行して出力する。
【００２０】
このように、デジタル放送受信機１００は、放送信号を受信・選局して放送信号のデジタル・ストリームデータを出力する複数の受信部１、２と、前記複数の受信部から出力される複数のストリームデータの中から１つを選択して出力する複数の復号信号選択器３、４と、前記復号信号選択器３、４で選択されたストリームデータを復号し復号信号を出力する複数の復号部５、６と、前記複数の復号部５、６から出力される複数の復号信号から出力する復号信号を選択あるいは合成等する表示部７と、前記複数の復号部５、６で復号された復号信号を複数の外部出力へ振分ける記録信号切換器９と、外部の記録機器の動作を制御する記録制御信号を出力する記録制御信号出力部１０と、前記複数の受信部１、２と前記複数の復号信号選択器３、４と前記表示部７と前記記録信号切換器９と前記記録制御信号出力部１０とを制御する記録指示部８を備えることによって、複数の記録装置に同時に異なる番組を記録することができる。
【００２１】
また、上記デジタル放送受信機１００は、前記複数の受信部１、２から出力されるストリームデータの１つまたは複数を所定の信号形式に変換して外部へ出力すると共に、外部から入力される所定の信号形式のデータをストリームデータへ変換して前記復号信号選択器３、４へ送るデジタル・インタフェース部１１を備え、前記デジタル・インタフェース部１１の制御を前記記録指示部８が行うことによって、デジタル・インタフェースを備える記録装置とデジタル・インタフェースを備えない記録装置の両者を併用して番組により使い分け、両者をデジタル放送受信機１００に接続して使用するができる。
【００２２】
実施の形態２．
上記実施の形態１では、受信部が２式、復号部が２式の構成例で説明をしたが、それ以上の構成、すなわち受信部がｍ式、復号部がｎ式（ｍ＞２，  ｎ＞２）ならば、より制約の少ない予約や視聴の実行が可能となる。
【００２３】
図５は、デジタル放送受信機１００のコンピュータ基本構成図である。
図５において、プログラムを実行するＣＰＵ（Ｃｅｎｔｒａｌ  Ｐｒｏｃｅｓｓｉｎｇ  Ｕｎｉｔ）４０は、バス３８を介してモニタ４１、キーボード４２、マウス４３、通信ポート４４、磁気ディスク装置４６等と接続されている。
磁気ディスク装置４６には、ＯＳ４７、プログラム群４９、ファイル群５０が記憶されている。ただし、プログラム群４９、ファイル群５０が一体となってオブジェクト指向のプログラム群４９を形成する形態も一実施の形態として考えられる。
プログラム群４９は、ＣＰＵ４０、ＯＳ４７により実行される。
上記各実施の形態では、デジタル放送受信機１００は、通信ポート４４の機能を使用して、複数の番組のデータを送信する複数の放送局と通信を行う。
【００２４】
以上に記載した「記憶する」、「出力する」という用語は、記録媒体に保存することを意味する。
【００２５】
すべての実施の形態では、各構成要素の各動作はお互いに関連しており、各構成要素の動作は、上記に示された動作の関連を考慮しながら、一連の動作として置き換えることができる。そして、このように置き換えることにより、方法の発明の実施形態とすることができる。
また、上記各構成要素の動作を、各構成要素の処理と置き換えることにより、プログラムの実施の形態とすることができる。
また、プログラムを、プログラムを記録したコンピュータ読み取り可能な記録媒体に記憶させることで、プログラムに記録したコンピュータ読み取り可能な記録媒体の実施の形態とすることができる。
【００２６】
プログラムの実施の形態及びプログラムに記録したコンピュータ読み取り可能な記録媒体の実施の形態は、すべてコンピュータで動作可能なプログラムにより構成することができる。
プログラムの実施の形態およびプログラムを記録したコンピュータ読み取り可能な記録媒体の実施の形態における各処理はプログラムで実行されるが、このプログラムは、記録装置に記録されていて、記録装置から中央処理装置（ＣＰＵ）に読み込まれ、中央処理装置によって、各フローチャートが実行されることになる。
また、各実施の形態のソフトウェアやプログラムは、ＲＯＭ（ＲＥＡＤ  ＯＮＬＹ  ＭＥＭＯＲＹ）に記憶されたファームウェアで実現されていても構わない。あるいは、ソフトウェアとファームウェアとハードウェアとの組み合わせで前述したプログラムの各機能を実現しても構わない。
【００２７】
【発明の効果】
この発明によれば、デジタル放送受信機において、複数の受信部と、複数の復号信号選択器と、複数の復号部と、表示部と、記録用信号切換器と、記録制御信号出力部と、記録／再生制御部を備えたので、複数の記録装置に同時に異なる番組を記録することが可能となる。
【図面の簡単な説明】
【図１】この発明の実施の形態１によるデジタル放送受信機を示す構成図である。
【図２】この発明の実施の形態１によるデジタル放送受信機の録画予約画面の一例を示す説明図である。
【図３】この発明の実施の形態１による記録予約テーブルの一例を示す説明図である。
【図４】この発明の実施の形態１による記録機器制御情報テーブルの一例を示す説明図である。
【図５】デジタル放送受信機１００のコンピュータ基本構成図である。
【符号の説明】
１  第１の受信部、２  第２の受信部、３  第１の選択器、４  第２の選択器、５  第１の復号部、６  第２の復号部、７  表示部、８  記録指示部、９  記録信号切換器、１０  記録制御信号出力部、１１  デジタル・インタフェース部、１２  出力部、３８  バス、４０  ＣＰＵ、４１  モニタ、４２  キーボード、４３  マウス、４４  通信ポート、４６  磁気ディスク装置、４７  ＯＳ、４９  プログラム群、５０  ファイル群、３００  記録予約テーブル、３１０  番組、３２０  開始日時、３３０  記録機器識別情報、３４０  制御情報、４００記録機器制御情報テーブル。
【図１】
2004214894.tif 000003
【図２】
2004214894.tif 000004
【図３】
2004214894.tif 000005
【図４】
2004214894.tif 000006
【図５】
2004214894.tif 000007